(57)【特許請求の範囲】
【請求項１】
風を起こすための扇板と、前記扇板から延出している軸板と、前記軸板の幅方向に連設した補強板とで一体構成し、前記補強板を折り返して前記軸板及び前記扇板に重ねて組み立てる組立式団扇であって、
前記補強板を、前記軸板に重ねる軸板補強部と、前記扇板と前記軸板の接続箇所である要部分及び前記扇板における前記要部分の周辺の縁部分に重ねる扇板補強部とで構成し、
前記軸板補強部に、前記軸板に差し込んで前記軸板補強部を固定する差込片を延設すると共に、前記軸板に、前記差込片が差し込まれる差込口を設け、
前記扇板補強部に、前記縁部分を包み込む態様でさらに折り返す折返し部分を備え、
前記扇板を挟んだ状態で前記扇板補強部を固定する固定手段を有し、
前記軸板補強部を前記軸板に重ねて、前記差込片を前記差込口に差し込んで前記軸板補強部を固定することで柄を形成し、
前記扇板補強部を前記要部分及び前記縁部分に重ねて、前記縁部分を包み込む態様で前記折返し部分を折り返して、前記縁部分を挟んだ状態で前記扇板補強部を前記固定手段により固定して組み立てる
組立式団扇。
【請求項２】
前記固定手段を、
前記折返し部分に延設した差込片と、前記差込片が差し込まれる前記扇板に設けた差込口とで構成し、
前記差込片を前記差込口に差し込んで前記扇板に固定することで組み立てる
請求項１に記載の組立式団扇。
【請求項３】
前記固定手段を、
前記折返し部分に延設した差込片と、前記差込片が差し込まれる前記扇板に設けた差込口と、前記差込口に差し込んだ前記差込片がさらに差し込まれる前記扇板補強部に設けた差込口とで構成し、
前記差込片を前記扇板に設けた差込口及び前記扇板補強部に設けた差込口に差し込んで前記扇板補強部に固定することで組み立てる
請求項１に記載の組立式団扇。
【発明の詳細な説明】
【技術分野】
【０００１】
この発明は、段ボール、板紙等を折り畳んで組立てる組立式団扇に関する。
【背景技術】
【０００２】
上記組立式団扇として、特許文献１に、風を起こすための扇板から軸板を延出し、軸板の両側に重畳板を連設し、二枚の重畳板を相反する方向に折り曲げ、軸板の両面に重畳板を重ね合わせて固着することで柄を形成し、重畳板の先端幅広部を扇板の基部の両面に重ね合せて、基部を挟持する構成が開示されている。
【０００３】
上述の軸板の両面に重畳板を重ね合わせて固着させた柄は適度な強度を有し、また、柄を握って扇いだ時に、重畳板の先端幅広部により扇板の過剰な撓みが抑制されるために、扇ぎ易くなるとされている。
【０００４】
しかしながら、このような軸板と重畳板とを重ね合わせて固着させた柄であっても、強度が十分でないために撓みやすく十分に扇ぎ易いとはいえなかった。また、重畳板の先端幅広部を扇板の基部の両面に重ね合わせて、基部を挟持することによっても、強度が十分でないために、柄を握って扇いだ時に、組立式団扇が扇板と軸板の接続箇所である要部分において折れ曲ってしまい使用できなくなる問題があった。
【先行技術文献】
【特許文献】
【０００５】
【特許文献１】特開２００３−９３１２４号公報
【発明の概要】
【発明が解決しようとする課題】
【０００６】
そこでこの発明は、かかる問題点を解決すべく、柄が撓み難く、要部分で折れ曲り難い組立式団扇を提供することを目的とする。
【課題を解決するための手段】
【０００７】
この発明は、風を起こすための扇板と、前記扇板から延出している軸板と、前記軸板の幅方向に連設した補強板とで一体構成し、前記補強板を折り返して前記軸板及び前記扇板に重ねて組み立てる組立式団扇であって、前記補強板を、前記軸板に重ねる軸板補強部と、前記扇板と前記軸板の接続箇所である要部分及び前記扇板における前記要部分の周辺の縁部分に重ねる扇板補強部とで構成し、前記軸板補強部に、前記軸板に差し込んで前記軸板補強部を固定する差込片を延設すると共に、前記軸板に、前記差込片が差し込まれる差込口を設け、前記扇板補強部に、前記縁部分を包み込む態様でさらに折り返す折返し部分を備え、前記扇板を挟んだ状態で前記扇板補強部を固定する固定手段を有し、前記軸板補強部を前記軸板に重ねて、前記差込片を前記差込口に差し込んで前記軸板補強部を固定することで柄を形成し、前記扇板補強部を前記要部分及び前記縁部分に重ねて、前記縁部分を包み込む態様で前記折返し部分を折り返して、前記縁部分を挟んだ状態で前記扇板補強部を前記固定手段により固定して組み立てることを特徴とする。
【０００８】
前記組立式団扇の材料は、段ボール、板紙（ボール紙）、硬質プラスチックシート、紙とプラスチックフィルムの積層シート等とすることができる。  
前記接続箇所は、前記扇板及び前記軸板に跨る広がりを有する部分とする。
【０００９】
この発明により、前記柄が撓み難く、前記要部分で折れ曲り難くすることができる。  
詳しくは、前記組立式団扇は、前記軸板に前記軸板補強部を重ねて、前記差込片を前記差込口に差し込んで前記軸板補強部を前記軸板に固定することで前記柄を形成する。前記柄を形成した状態において、前記軸板に対して前記差込片が交差する態様で固定されている。これにより、前記柄における前記差込片を前記差込口に差し込んだ部分の強度が、単に前記軸板に前記補強板を重ねて固定して柄を形成した場合に比べて増大する。したがって、前記柄が頑丈になり撓み難くすることができる。その結果、前記組立式団扇は扇ぎ易い。
【００１０】
また、前記組立式団扇は、前記扇板補強部を前記要部分及び前記縁部分に重ねて、前記縁部分を包み込む態様で前記折返し部分を折り返して、前記扇板を挟んだ状態の前記扇板補強部を前記固定手段により固定して組み立てる。組み立て後は、前記扇板補強部が前記要部分及び前記縁部分を挟んだ状態となり、しかも、前記縁部分を包み込む態様で挟んだ状態の前記扇板補強部は、端面が略コの字状の撓み難い形状となる。これにより、前記扇板補強部によって前記組立式団扇の前記要部分及びその周辺の強度が増大する。したがって、前記柄を握って扇いだ時に前記要部分に集中する荷重を前記扇板補強部により分散することができ、前記要部分で折れ曲り難い。その結果、前記組立式団扇は快適に長く使用され得る。
【００１１】
この発明の態様として、前記固定手段を、前記折返し部分に延設した差込片と、前記差込片が差し込まれる前記扇板に設けた差込口とで構成し、前記差込片を前記差込口に差し込んで前記扇板に固定することで組み立てる前記組立式団扇とすることができる。
【００１２】
この発明により、接着剤、両面テープ等を用いることなく、前記扇板を挟んだ状態の前記扇板補強部を容易に前記扇板に固定できる。したがって、前記組立式団扇を簡単に組立てることができる。
【００１３】
また、この発明の態様として、前記固定手段を、前記折返し部分に延設した差込片と、前記差込片が差し込まれる前記扇板に設けた差込口と、前記差込口に差し込んだ前記差込片がさらに差し込まれる前記扇板補強部に設けた差込口とで構成し、前記差込片を前記扇板に設けた差込口及び前記扇板補強部に設けた差込口に差し込んで前記扇板補強部に固定することで組み立てる前記組立式団扇とすることができる。
【００１４】
この発明により、前記扇板補強部を、前記扇板の前記縁部分を強く挟んだ態様で固定することができ、前記組立式団扇の前記要部分及びその周辺の強度を十分に増大させることができる。したがって、前記柄を握って扇いだ時に前記要部分に集中する荷重を前記扇板補強部により十分に分散することができ、前記要部分での折れ曲りを確実に防止できる。
【発明の効果】
【００１５】
この発明により、柄が撓み難く、要部分で折れ曲り難い組立式団扇を提供することができる。
【図面の簡単な説明】
【００１６】
【図１】組立式団扇の展開図。
【図２】組立式団扇の組み立て途中の斜視図。
【図３】組立式団扇の組み立て途中の斜視図。
【図４】組立式団扇の組み立て途中の斜視図。
【図５】組立式団扇を組み立てた状態の正面図。
【図６】図５におけるＡ−Ａ線端面、Ｂ―Ｂ線端面及びＣ―Ｃ線端面の説明図。
【図７】第２実施形態の組立式団扇の展開図。
【図８】第２実施形態の組立式団扇を組み立てた状態の正面図。
【図９】第３実施形態の組立式団扇の展開図。
【図１０】第３実施形態の組立式団扇を組み立てた状態の正面図。
【図１１】第３実施形態の組立式団扇を組み立てた状態の背面図。
【発明を実施するための形態】
【００１７】
（第１実施形態）
この発明の第１実施形態の組立式団扇１を以下図１乃至図６と共に説明する。  
図１は正面から見た組立式団扇１の折り畳んで組み立てる前の展開図を示し、図２乃至図４は組立式団扇１の組み立て途中の斜視図を示している。
【００１８】
また、図５は組立式団扇１を組み立てた状態の正面図を示し、図６（ａ）は図５におけるＡ−Ａ線端面図、図６（ｂ）はＢ―Ｂ線端面図、図６（ｃ）はＣ―Ｃ線端面図を夫々示している。  
組立式団扇１は、一方向に一様な波状に加工した中芯原紙の表裏を平坦な原紙で挟んで接着した一枚の一様な厚みを有する平板状の段ボールのみを材料として用いている。
【００１９】
組立式団扇１は、段ボールをウエーブ刃でトムソン抜きすることにより、図１に示すように、風を起こすための扇板１０と、扇板１０から真っ直ぐに延出している軸板２０と、軸板２０の両側に連設した第１補強板３０及び第２補強板４０とで一体構成している。
【００２０】
ここで、扇板１０は、正面視略円形状に形成している。また、軸板２０は、扇板１０から段ボールの波状の中芯原紙の山の頂部及び谷の底部が延びる方向に沿って真っ直ぐに延出している。軸板２０は、手で握って扇ぐのに適した適宜の長さだけ延出し、さらに扇ぎ易い適宜の幅を有する長細い長方形状に形成している。
【００２１】
第１補強板３０は、図１における軸板２０の幅方向Ｗ１の左端と連設している。第１補強板３０は、軸板２０に対して折り畳まれて軸板２０を補強する第１軸板補強部５０と、扇板１０に対して折り畳まれて扇板１０と軸板２０の接続箇所である要部分１１及び扇板１０における要部分１１の周辺の縁部分１２を補強する第１扇板補強部７０とで一体構成している。
【００２２】
第１軸板補強部５０は、軸板２０の左端の全体と連設しており、軸板２０と略同一の形状を有している。また、第１軸板補強部５０は、第１軸板補強部５０の左側に第１軸板補強部５０を軸板２０に差し込んで固定する第１差込片５３を延設している。
【００２３】
第１差込片５３は、軸板２０の延出方向Ｌ１に長細く、段ボールの厚みの数倍程度の幅を有する略長方形状に形成している。また、第１差込片５３は、軸板２０に対して第１差込片５３を係止する係止爪５３ａを、延出方向Ｌ１の両端における幅方向Ｗ１の外側に備えている。
【００２４】
上述の第１差込片５３に対応して、軸板２０の幅方向Ｗ１の右側端部には、第１差込片５３が差し込まれる第２差込口２４を組み立て時に形成するための切れ目２４ｃが入れられている。切れ目２４ｃは、第１差込片５３の位置と同じ延出方向Ｌ１の位置に設けられている。
【００２５】
また、切れ目２４ｃは、延出方向Ｌ１に係止爪５３ａを除く第１差込片５３の延出方向Ｌ１の長さと同一の長さで設けられ、さらに、その両端から幅方向Ｗ１の外側に、第１差込片５３の軸板２０に対して略垂直な差し込みを許容する幅だけ設けられている。
【００２６】
第１扇板補強部７０は、第１軸板補強部５０における扇板１０の側の端部分から、扇板１０における左側の縁部分１２の接線方向Ｌ２に向かって延出している。第１扇板補強部７０は、接線方向Ｌ２に長細い略長方形状に形成しており、扇板１０の左側の縁部分１２と隙間の無い態様で接している。
【００２７】
第１扇板補強部７０は、第１補強板３０の第１軸板補強部５０を軸板２０に重なるように折り畳んだ際に扇板１０の正面と重なる第１折重ね部分７１と、第１折重ね部分７１を扇板１０の正面に重ねた後、さらに扇板１０の背面に対して折り返して重ねる第１折返し部分７２とで構成している。
【００２８】
第１折重ね部分７１は、扇板１０の縁部分１２の側に位置し、接線方向Ｌ２に長細い略長方形状に形成している。第１折重ね部分７１は、要部分１１及び扇板１０の右側の縁部分１２に対して折り重ねられる。  
また、第１折返し部分７２は、扇板１０の縁部分１２に対して遠い側に位置し、接線方向Ｌ２に長細く、第１折重ね部分７１の幅に比べて狭い幅を有する略長方形状に形成している。
【００２９】
さらに、第１折返し部分７２は、幅方向Ｗ２の外側に第１扇板補強部７０を扇板１０に固定する第１差込片７３を延設している。第１差込片７３は、第１折返し部分７２における幅方向Ｗ２の外側の端の中央部分から幅方向Ｗ２の外側に向かって延設している。
【００３０】
また、第１差込片７３は、縁部分１２の接線方向Ｌ２に長細く、２枚の段ボールに差し込んで固定可能な幅を有する略長方形状に形成している。さらに、第１差込片７３は、接線方向Ｌ２の両端における幅方向Ｗ２の外側に、第１扇板補強部７０の第１折重ね部分７１に第１差込片７３を係止する係止爪７３ａを備えている。
【００３１】
上述の第１差込片７３に対応して、扇板１０の右側の縁部分１２には、第１折返し部分７２を扇板１０の背面に対して折り返して重ねた際に第１差込片７３と重なる位置に、第１差込片７３が差し込まれる第２差込口１４が穿設されている。
【００３２】
また、第１折重ね部分７１には、第１補強板３０の第１軸板補強部５０を軸板２０に重なるように折り畳んだ際に第２差込口１４と重なる位置に、第２差込口１４に差し込まれた第１差込片７３がさらに差し込まれる第１差込口７４が穿設されている。
【００３３】
第２差込口１４及び第１差込口７３は、共に係止爪７３ａを除く第１差込片７３の接線方向Ｌ２の長さと略同一の長さと第１差込片７３の差し込みを許容する幅を有するスリット状に穿設されている。
【００３４】
第２補強板４０は、第２軸板補強部６０が軸板２０の右端の全体と連設し、上述の第１補強板３０と左右対称の構成である。また、軸板２０には、差込口２４を形成するための切り込み２４ｃと左右対称に差込口２３を組み立て時に形成するための切り込み２３ｃが入れられている。さらに、扇板１０には、差込口１４と左右対称に差込口１３が穿設されている。
【００３５】
組立式団扇１は、図１に示す展開状態から図２乃至図４に示すようにして折り畳んで組み立てる。  
先ず、図２に示すように、第１補強部３０の第１軸板補強部５０を軸板２０の正面に向かって折り畳み、第２補強部４０の第２軸板補強部６０を軸板２０の背面に向かって折り畳む。この時、軸板２０に第１差込口２３及び第２差込口２４が形成される。
【００３６】
次に、図３に示すように、第１軸板補強部５０に延設した差込片５３を軸板２０の右側の第２差込口２４に正面側から背面側へ向かって軸板２０に略垂直に差し込む。同様に、第２軸板補強部６０に延設した第２差込片６３を軸板２０の左側の第１差込口２３に背面側から正面側へ向かって軸板２０に略垂直に差し込む。
【００３７】
そして、第１差込片５３に設けた係止爪５３ａを軸板２０の背面側で係止させることで第１差込片５３を軸板２０に固定すると共に、第２差込片６３に設けた係止爪６３ａを軸板２０の正面側で係止させることで第２差込片６３を軸板２０に固定して、図４に示すように、組立式団扇１の柄９０を形成する。
【００３８】
この時、扇板１０の第２差込口１４と第１補強板３０の第１扇板補強部７０の第１差込口７４とが重なった状態で、扇板１０の正面に第１扇板補強部７０の第１折重ね部分７１が重ねられている。同様に、扇板１０の第１差込口１３と、第２補強板４０の第２扇板補強部８０の第２差込口８４とが重なった状態で、扇板１０の背面に第１扇板補強部８０の第２折重ね部分８１が重ねられている。第１折重ね部分７１及び第２折重ね部分８１は、夫々要部分１１及び扇板１０の縁部分１２に対して折り重ねられている。
【００３９】
続いて、この状態から第１補強板３０の第１扇板補強部７０の第１折返し部分７２を扇板１０の背面側に折り返して、第１差込片７３を第２差込口１４と第１差込口７４に扇板１０の背面側から正面側に向かって差し込んだ後、第１折重ね部分７１の図１における背面側に係止爪７３ａを係止させることで第１差込片７３を扇板１０に固定する。
【００４０】
同様に、第２補強部４０の第２扇板補強部８０の第２折返し部分８２を扇板１０の正面側に折り返して、第２差込片８３を第１差込口１３と第２差込口８４に扇板１０の正面側から背面側に向かって差し込んだ後、第２折重ね部分８１の図１における背面側に係止爪８３ａを係止させることで第２差込片８３を扇板１０に固定する。  
このようにして、図５に示すように、組立式団扇１が組立てられる。
【００４１】
組立式団扇１が組み立てられた状態において、柄９０における第１差込片５３及び第２差込片６３が夫々第２差込口２４及び第１差込片２３に差し込まれて固定されている部分の端面の形状は、図６（ａ）に示すように、略日の字状となる。また、柄９０における第１差込片５３及び第２差込片６３を設けていない部分の端面の形状は、図６（ｂ）に示すように、角張ったＳ字状となる。
【００４２】
さらに、第１扇板補強部７０及び第２扇板補強部８０の端面の形状は、図６（ｃ）に示すように、扇板１０の縁部分１２を包み込んで扇板１０を挟む態様の略コの字状となる。また、第１差込片７３は、第２差込口１４及び第１差込口７４に扇板１０と交差する態様で差し込まれて固定されている。同様に、第２差込片８３は、第１差込口１３及び第２差込口８４に扇板１０と交差する態様で差し込まれて固定されている。
【００４３】
上述の組立式団扇１の構成により以下に述べる作用効果を奏する。  
組立式団扇１は、柄９０が撓み難く、要部分１１で折れ曲り難い。  
詳しくは、組立式団扇１は、軸板２０に第１軸板補強部５０及び第２軸板補強部６０を重ねて、第１差込片５３及び第２差込片６３を夫々第２差込口２４及び第１差込口２３に差し込んで第１軸板補強部５０及び第２軸板補強部６０を軸板２０に固定することで柄９０を形成する。柄９０を形成した状態において、軸板２０に対して第１差込片５３及び第２差込片６３が交差する態様で固定されている。
【００４４】
これにより、柄９０における第１差込片５３及び第２差込片６３を夫々第２差込口２４及び第１差込口２３に差し込んだ部分が閉断面構造となり、この部分の強度が単に軸板に第１補強板及び第２補強板を重ねて固定して柄を形成した場合に比べて増大する。したがって、柄９０が頑丈になり撓み難くすることができる。その結果、組立式団扇１は扇ぎ易い。
【００４５】
また、組立式団扇１は、第１扇板補強部７０及び第２扇板補強部８０を要部分１１及び縁部分１２に重ねて、縁部分１２を包み込む態様で第１折返し部分７２及び第２折返し部分８２を折り返して、扇板１０を挟んだ状態の第１扇板補強部７０及び第２扇板補強部８０を、第１差込片７３及び第２差込片８３を第１差込口１３，７４及び第２差込口１４，８４に差し込むことで固定して組み立てる。
【００４６】
組み立て後は、第１扇板補強部７０及び第２扇板補強部８０が要部分１１及び縁部分１２を挟んだ状態となり、しかも、縁部分１２を包み込む態様で挟んだ状態の第１扇板補強部７０及び第２扇板補強部８０は、端面が略コの字状の撓み難い形状となる。さらに、第１差込片７３及び第２差込片８３が扇板１０の縁部分１２に対して交差する態様で固定されている。
【００４７】
これにより、第１扇板補強部７０及び第２扇板補強部８０によって組立式団扇１の要部分１１及びその周辺の強度が増大する。したがって、柄９０を握って扇いだ時に要部分１１に集中する荷重を第１扇板補強部７０及び第２扇板補強部８０により分散することができ、要部分１１で折れ曲り難い。その結果、組立式団扇１は快適に長く使用され得る。
【００４８】
また、組立式団扇１は、第１差込片７３、第２差込片８３、第１差込口１３，７４及び第２差込口１４，８４を備えている。これにより、接着剤、両面テープ等を用いることなく、扇板１０を挟んだ状態の第１扇板補強部７０及び第２扇板補強部８０を容易に扇板１０に固定できる。したがって、組立式団扇１を簡単に組立てることができる。
【００４９】
また、組立式団扇１は、第１差込片７３を第２差込口１４及び第１差込口７４に差し込んで、第１扇板補強部７０の第１折重ね部分７１に固定し、第２差込片８３を第１差込口１３及び第２差込口８４に差し込んで、第２扇板補強部８０の第２折重ね部分８１に固定する。
【００５０】
これにより、第１扇板補強部７０及び第２扇板補強部８０を、扇板１０を強く挟んだ態様で固定することができ、組立式団扇１の要部分１１及びその周辺の強度を十分に増大させることができる。したがって、柄９０を握って扇いだ時に要部分１１に集中する荷重を第１扇板補強部７０及び第２扇板補強部８０により十分に分散することができ、要部分１１での折れ曲りを確実に防止できる。
【００５１】
さらに、組立式団扇１は、第１差込片５３及び第２差込片６３を夫々第２差込口２４及び第１差込口２３に軸板２０に対して差し込んで固定することで柄９０を形成している。このため、図６（ａ）及び図６（ｂ）に示すように、柄９０は適度な厚みを有し握り易い。
【００５２】
（第２実施形態）
この発明の第２実施形態の組立式団扇１’を以下図７及び図８と共に説明する。なお、上述の第１実施形態の組立式団扇１と同じ構成については、同じ符号を付し説明を省略する。
【００５３】
図７は組立式団扇１’の折り畳んで組み立てる前の展開図を示し、図８は組立式団扇１’を組み立てた状態の正面図を示している。  
組立式団扇１’は、図７に示すように、第１補強板３０’における第１扇板補強部７０’の第１折返し部分７２’及び第２補強板４０’における第２扇板補強部８０’の第２折返し部分８２’の幅を第１折重ね部分７１’及び第２折重ね部分８１’の幅と同程度に形成している。また、第１折重ね部分７１’及び第２折重ね部分８１’に差込口を穿設していない。
【００５４】
さらに、第１折返し部分７２’の幅を第１実施形態の第１折返し部分７２の幅よりも広くしたことに対応して、扇板１０’の第１差込口１３’を第１実施形態の第１差込口１３よりもやや左斜め上方に設けている。同様に、扇板１０’の第２差込口１４’を第１実施形態の第２差込口１４よりもやや右斜め上方に設けている。
【００５５】
組立式団扇１’は、第１差込片７３’を扇板１０’の第２差込口１４’に背面側から正面側に向かって差し込んで、扇板１０’の正面に係止爪７３ａ’を係止することで、図８に示すように第１扇板補強部７０’を扇板１０’に固定して組立てる。
【００５６】
同様に、組立式団扇１’は、第２差込片８３’を扇板１０’の第１差込口１３’に正面側から背面側に向かって差し込んで、扇板１０’の背面に係止爪８３ａ’を係止することで、第２扇板補強部８０’を扇板１０’に固定して組立てる。
【００５７】
組立式団扇１’は、第１実施形態の組立式団扇１と同様、柄９０が撓み難く、要部分１１で折れ曲がり難い。その結果、扇ぎ易く、快適に長く使用され得る。  
また、組立式団扇１’は、第１差込片７３、第２差込片８３、第２差込口１４’及び第１差込口１３’を備えており、接着剤、両面テープ等を用いることなく簡単に組立てることができる。さらに、組立式団扇１’の柄９０は適度な厚みを有し握り易い。
【００５８】
（第３実施形態）
この発明の第３実施形態の組立式団扇１’’を以下図９乃至図１１と共に説明する。なお、上述の第１実施形態の組立式団扇１と同じ構成については、同じ符号を付し説明を省略する。
【００５９】
図９は組立式団扇１’’の折り畳んで組み立てる前の展開図を示し、図１０は組立式団扇１’を組み立てた状態の正面図を示し、図１１は組立式団扇１’を組み立てた状態の背面図を示している。
【００６０】
組立式団扇１’’は、図９に示すように、第１補強板３０’’における第１扇板補強部７０’’の第１折返し部分７２’’を、第１折重ね部分７１における扇板１０’’の縁部分１２に対して遠い側の幅方向Ｗ２の端から延出方向Ｌ１の下方に向かって延出する態様で形成している。
【００６１】
同様に、組立式団扇１’’は、第２補強板４０’’における第２扇板補強部８０’’の第２折返し部分８２’’を、第２折重ね部分８１における扇板１０’’の縁部分１２に対して遠い側の幅方向Ｗ２の端から軸板２０の延出方向Ｌ１の下方に向かって延出する態様で形成している。
【００６２】
また、第２折返し部分８２’’は、幅方向Ｗ１の内側に第１扇板補強部７０’’及び第２扇板補強部８０’’を扇板１０’’に固定する差込片８３’’を延設している。差込片８３’’は、第２折返し部分８２’’における幅方向Ｗ１の内側の端の略中央部分から幅方向Ｗ１の内側の方向に向かって延設している。
【００６３】
また、差込片８３’’は、第２折返し部分８２’’における幅方向Ｗ１の内側の端に沿って長細く、２枚の段ボールに差し込んで固定可能な幅を有する略長方形状に形成している。さらに、差込片８３’’は、長手方向の両端に第１扇板補強部７０’’の第１折返し部分７２’’に差込片８３’’を係止する係止爪８３ａ’’を備えている。  
なお、組立式団扇１’’は、第１扇板補強部７０’’及び第２扇板補強部８０’’を扇板１０’’に固定する差込片８３’’を一つだけ有している。
【００６４】
上述の差込片８３’’に対応して、扇板１０’’には、第２折返し部分８２’’を扇板１０’’の正面に対して折り返して重ねた際に差込片８３’’と重なる位置に、差込片８３’’が差し込まれる差込口１４’’が穿設されている。
【００６５】
また、第１折返し部分７２’’には、第１折返し部分８２’’を扇板１０’’の背面に対して折り返して重ねた状態において差込口１４’’と重なる位置に、差込口１４’’に差し込まれた差込片８３’’がさらに差し込まれる差込口７４’’が穿設されている。
【００６６】
差込口１４’’，７４’’は、共に係止爪８３ａ’’を除く差込片８３’’の長手方向の長さと略同一の長さを有すると共に、差込片８３’’の差し込みを許容する幅を有するスリット状に穿設されている。
【００６７】
組立式団扇１’’は、差込片８３’’を扇板１０’’の差込口１４’’及び第１折返し部分７２’’の差込口７４’’に正面側から背面側に向かって差し込んで、第１折返し部分７２’’の図９における背面側に係止爪８３ａを係止させることで、第１扇板補強部７０’’及び第２扇板補強部８０’’を扇板１０’’に固定して組立てる。
【００６８】
組立式団扇１’’が組立てられた状態において、第１扇板補強部７０’’及び第２扇板補強部８０’’は、図１０及び図１１に示すように、要部分１１及び扇板１０’’の縁部分１２を含む下部を挟む態様で固定されている。
【００６９】
また、第１扇板補強部７０’’及び第２扇板補強部８０’’は、扇板１０’’の正面側において第１折重ね部分７１と第２折返し部分８２’’の端同士が接触すると共に、扇板１０’’の背面側において第１折返し部分７２’’と第２折重ね部分８１の端同士が接触する態様で固定されている。
【００７０】
組立式団扇１’’は、第１実施形態の組立式団扇１と同様、柄９０が撓み難く、要部分１１で折れ曲がり難い。その結果、扇ぎ易く、快適に長く使用され得る。  
また、組立式団扇１’’は、差込片８３’’及び差込口１４’’，７４’’を備えており、しかも第１扇板補強部７０’’及び第２扇板補強部８０’’を一箇所のみで固定する構成である。したがって、接着剤、両面テープ等を用いることなく簡単に組立てることができる。
【００７１】
また、組立式団扇１’’は、第１扇板補強部７０’’及び第２扇板補強部８０’’を、扇板１０’’を強く挟んだ態様で固定することができ、しかも要部分１１及び扇板１０’’の縁部分１２を含む広い範囲を挟む態様で固定することができる。したがって、組立式団扇１’’の要部分１１及びその周辺の強度を十分に増大させることができ、要部分１１での折れ曲りを確実に防止できる。さらに、組立式団扇１’の柄９０は適度な厚みを有し握り易い。
【００７２】
この発明の構成と、上述の実施形態との対応において、
補強板は、第１補強板３０，３０’，３０’’及び第２補強板４０，４０’，４０’’に対応し、
軸板補強部は、第１軸板補強部５０及び第２軸板補強部６０に対応し、
扇板補強部は、第１扇板補強部７０，７０’，７０’’及び第２扇板補強部８０，８０’，８０’’に対応し、
折返し部分は、第１折返し部分７２，７２’，７２’’及び第２折返し部分８２，８２’，８２’’に対応し、
固定手段は、第１差込片７３，７３’、第２差込片８３，８３’、差込片８３’’、第１差込口１３，１３’，７４、第２差込口１４，１４’，８４及び差込口１４’’，７４’’に対応するも
この発明は、上述の実施形態の構成のみに限定されるものではなく、多くの実施の形態を得ることができる。
【００７３】
例えば、上述の第１実施形態乃至第３実施形態において、組立式団扇１，１’，１’’は、第１差込片７３，７３’、第２差込片８３，８３’、差込片８３’’、第１差込口１３，１３’，７４、第２差込口１４，１４’８４、及び差込口１４’’，７４’’に代えて、第１扇板補強部７０，７０’，７０’’及び第２扇板補強部８０，８０’，８０’’を接着剤又は両面テープで扇板１０，１０’，１０’’に固定する構成であってもよい。
【符号の説明】
【００７４】
１，１’，１’’…組立式団扇
１０，１０’，１０’’…扇板
１１…要部分
１２…縁部分
１３，１３’…第１差込口
１４，１４’…第２差込口
１４’’…差込口
２０…軸板
２３…第１差込口
２４…第２差込口
３０，３０’，３０’’…第１補強板
４０，４０’，４０’’…第２補強板
５０…第１軸板補強部
５３…第１差込片
６０…第２軸板補強部
６３…第２差込片
７０，７０’，７０’’…第１扇板補強板
７２，７２’，７２’’…第１折返し部分
７３，７３’…第１差込片
７４…第１差込口
７４’’…差込口
８０，８０’，８０’’…第２扇板補強部
８２，８２’，８２’’…第２折返し部分
８３，８３’…第２差込片
８３’’…差込片
８４…第２差込口
９０…柄
Ｗ１…幅方向
【図１】
0005800679.tif 000002
【図２】
0005800679.tif 000003
【図３】
0005800679.tif 000004
【図４】
0005800679.tif 000005
【図５】
0005800679.tif 000006
【図６】
0005800679.tif 000007
【図７】
0005800679.tif 000008
【図８】
0005800679.tif 000009
【図９】
0005800679.tif 000010
【図１０】
0005800679.tif 000011
【図１１】
0005800679.tif 000012